(57)【要約】      （修正有）【課題】各照明器具の使用時間に大きな差が生じることを抑制することのできる照明制御システムを提供する。【解決手段】照明制御システム１は、第１照明グループに含まれる照明器具８０の電灯８６の寿命と、第２照明グループに含まれる照明器具８０の電灯８６の寿命との差に応じて点灯パターンを変更している。すなわち、第１照明グループに最短寿命器具が含まれるとき、第１照明グループを消灯状態に設定し、かつ第２照明グループを点灯状態に設定する。また、第２照明グループに最短寿命器具が含まれるとき、第２照明グループを消灯状態に設定し、かつ第１照明グループを点灯状態に設定する。【選択図】図１
2012221627.tif 000002
【特許請求の範囲】
【請求項１】
複数の照明器具を個別に制御する照明制御システムにおいて、
前記複数の照明器具のうちの１つを「照明器具Ａ」とし、前記複数の照明器具のうちの別の１つを「照明器具Ｂ」として、前記照明器具Ａの寿命および前記照明器具Ｂの寿命に応じて前記照明器具Ａおよび前記照明器具Ｂの少なくとも一方の動作状態を変更する制御を行なうこと
を特徴とする照明制御システム。
【請求項２】
請求項１に記載の照明制御システムにおいて、
前記照明器具の寿命を消耗させる因子を「消耗因子」とし、前記消耗因子の増加度合いを「消耗速度」として、前記照明器具Ａの寿命が前記照明器具Ｂの寿命よりも短いとき、前記照明器具Ａの消耗速度を前記照明器具Ｂの消耗速度よりも小さくすること
を特徴とする照明制御システム。
【請求項３】
請求項２に記載の照明制御システムにおいて、
前記照明器具Ａの寿命が前記照明器具Ｂの寿命よりも短いとき、前記照明器具Ａを消灯すること
を特徴とする照明制御システム。
【請求項４】
請求項２または３に記載の照明制御システムにおいて、
前記照明器具Ａの寿命が前記照明器具Ｂの寿命よりも短いとき、前記照明器具Ａの調光率を前記照明器具Ｂの調光率よりも小さくすること
を特徴とする照明制御システム。
【請求項５】
請求項１〜４のいずれか一項に記載の照明制御システムにおいて、
前記照明器具Ａの寿命と前記照明器具Ｂの寿命との差が所定の差よりも大きいとき、前記照明器具Ａおよび前記照明器具Ｂの少なくとも一方の動作状態を変更する制御を行なうこと
を特徴とする照明制御システム。
【請求項６】
請求項１〜５のいずれか一項に記載の照明制御システムにおいて、
前記照明器具の寿命が規定の寿命よりも長い状態を「通常状態」とし、前記照明器具の寿命が前記規定の寿命よりも短い状態を「末期状態」とし、前記照明器具の寿命を消耗させる因子を「消耗因子」とし、この消耗因子の増加度合いを「消耗速度」として、
前記複数の照明器具の少なくとも１つが前記末期状態のとき、前記末期状態の照明器具の消耗速度を前記通常状態の照明器具の消耗速度よりも小さくすること
を特徴とする照明制御システム。
【請求項７】
請求項６に記載の照明制御システムにおいて、
累積使用時間が規定の時間よりも大きい照明器具を前記末期状態の照明器具として取り扱うこと
を特徴とする照明制御システム。
【請求項８】
請求項１〜７のいずれか一項に記載の照明制御システムにおいて、
前記複数の照明器具について寿命が短い順に順位付けすること、
ならびに、寿命が所定の順位までの照明器具を「短寿命器具」とし、前記所定の順位よりも下位の寿命の照明器具を「長寿命器具」として、前記短寿命器具の消耗速度を前記長寿命器具の消耗速度よりも小さくすること
を特徴とする照明制御システム。
【請求項９】
請求項８に記載の照明制御システムにおいて、
前記消耗速度の変更の対象とする照明器具を「制御対象器具」とし、前記制御対象器具を設定するための優先順位を「制御優先順位」とし、前記短寿命器具の総数を「短寿命器具総数」として、
前記短寿命器具総数が所定数よりも大きいとき、前記制御優先順位に基づいて前記複数の短寿命器具のなかから前記制御対象器具に設定する照明器具を選択すること
を特徴とする照明制御システム。
【請求項１０】
請求項１〜９のいずれか一項に記載の照明制御システムにおいて、
前記複数の照明器具のなかに照明器具のグループとして第１照明グループおよび第２照明グループを設定すること、
ならびに、前記複数の照明器具のうちの寿命が最も短いものを「最短寿命器具」として、前記第１照明グループが前記最短寿命器具を含み、かつ前記第２照明グループが前記最短寿命器具を含まないとき、前記第１照明グループの各照明器具の消耗速度を前記第２照明グループの各照明器具の消耗速度よりも小さくすること
を特徴とする照明制御システム。
【請求項１１】
請求項１〜１０のいずれか一項に記載の照明制御システムにおいて、
前記複数の照明器具のなかに照明器具のグループとして第１照明グループおよび第２照明グループを設定すること、
ならびに、前記第１照明グループに含まれる複数の照明器具のうちの寿命が最も短いものを「第１短寿命器具」とし、前記第２照明グループに含まれる複数の照明器具のうちの寿命が最も短いものを「第２短寿命器具」として、前記第１短寿命器具の寿命が前記第２短寿命器具の寿命よりも短いとき、前記第１照明グループの各照明器具の消耗速度を前記第２照明グループの各照明器具の消耗速度よりも小さくすること
を特徴とする照明制御システム。
【請求項１２】
請求項１〜１１のいずれか一項に記載の照明制御システムにおいて、
前記複数の照明器具のなかに照明器具のグループとして第１照明グループおよび第２照明グループを設定すること、
ならびに、前記複数の照明器具のうちの寿命が尽きたものを「使用済器具」として、前記第１照明グループが前記使用済器具を含み、かつ前記第２照明グループが前記使用済器具を含まないとき、前記第１照明グループの各照明器具の消耗速度を前記第２照明グループの各照明器具の消耗速度よりも小さくすること
を特徴とする照明制御システム。
【請求項１３】
請求項３に記載の照明制御システム、または請求項４〜１２のいずれか一項のうちの請求項３を引用する請求項に記載の照明制御システムにおいて、
前記照明器具Ａの周囲に設けられる別の照明器具を「照明器具Ｃ」として、前記照明器具Ａの消耗速度を前記照明器具Ｂの消耗速度よりも小さくしたとき、前記照明器具Ｃの動作状態を前記照明器具Ａの動作状態に応じて変更すること
を特徴とする照明制御システム。
【請求項１４】
請求項１〜１３のいずれか一項に記載の照明制御システムにおいて、
前記照明器具の寿命が規定の寿命よりも長い状態を「通常状態」とし、前記照明器具の寿命が前記規定の寿命よりも短い状態を「末期状態」として、前記末期状態の照明器具の動作状態を前記通常状態の照明器具の動作状態と異なるものに設定すること
を特徴とする照明制御システム。
【請求項１５】
複数の照明器具を個別に制御する照明制御システムにおいて、
前記照明器具の寿命が規定の寿命よりも長い状態を「通常状態」とし、前記照明器具の寿命が前記規定の寿命よりも短い状態を「末期状態」として、前記末期状態の照明器具の動作状態を前記通常状態の照明器具の動作状態とは異なるものに設定すること
を特徴とする照明制御システム。
【請求項１６】
請求項１〜１５のいずれか一項に記載の照明制御システムにおいて、
前記照明器具の寿命として前記照明器具の電灯の寿命を用いること
を特徴とする照明制御システム。
【発明の詳細な説明】
【技術分野】
【０００１】
本発明は、複数の照明器具を個別に制御する照明制御システムに関する。
【背景技術】
【０００２】
上記照明制御システムとして、特許文献１に記載のものが知られている。
この照明制御システムにおいては、省エネルギーのため、累積点灯時間が判定時間よりも小さい照明器具の負荷を累積点灯時間が判定時間よりも大きい照明器具の負荷よりも小さくする。なお、累積点灯時間が小さい照明器具は、負荷が小さい状態においても必要な照度が得られるため、上記のとおり累積点灯時間に応じて負荷を小さくしてもユーザーに違和感を与えるおそれが少ない。
【先行技術文献】
【特許文献】
【０００３】
【特許文献１】特開２００４−１８０４１１号公報
【発明の概要】
【発明が解決しようとする課題】
【０００４】
ところで、複数の照明器具において個々の照明器具同士の間で使用時間に大きな差があるときには、寿命により部品の交換が必要となる時期に大きなばらつきが生じる。この場合、ユーザーは複数の照明器具の部品の交換をまとめて行なうことができないため、照明器具の管理が煩雑になる。なお、特許文献１の照明制御システムは、このような使用時間の差を考慮した照明器具の管理を行なうものではないため、上述した問題の解決には適していない。
【０００５】
本発明は上記課題を解決するためになされたものであり、その目的は各照明器具の使用時間に大きな差が生じることを抑制することのできる照明制御システムを提供することにある。
【課題を解決するための手段】
【０００６】
上記目的を達成するための手段を以下に示す。
・本発明の照明制御システムは、複数の照明器具を個別に制御する照明制御システムにおいて、前記複数の照明器具のうちの１つを「照明器具Ａ」とし、前記複数の照明器具のうちの別の１つを「照明器具Ｂ」として、前記照明器具Ａの寿命および前記照明器具Ｂの寿命に応じて前記照明器具Ａおよび前記照明器具Ｂの少なくとも一方の動作状態を変更する制御を行なうことを特徴としている。
【０００７】
・この照明制御システムにおいては、前記照明器具の寿命を消耗させる因子を「消耗因子」とし、前記消耗因子の増加度合いを「消耗速度」として、前記照明器具Ａの寿命が前記照明器具Ｂの寿命よりも短いとき、前記照明器具Ａの消耗速度を前記照明器具Ｂの消耗速度よりも小さくすることが好ましい。
【０００８】
・この照明制御システムにおいては、前記照明器具Ａの寿命が前記照明器具Ｂの寿命よりも短いとき、前記照明器具Ａを消灯することが好ましい。
・この照明制御システムにおいては、前記照明器具Ａの寿命が前記照明器具Ｂの寿命よりも短いとき、前記照明器具Ａの調光率を前記照明器具Ｂの調光率よりも小さくすることが好ましい。
【０００９】
・この照明制御システムにおいては、前記照明器具Ａの寿命と前記照明器具Ｂの寿命との差が所定の差よりも大きいとき、前記照明器具Ａおよび前記照明器具Ｂの少なくとも一方の動作状態を変更する制御を行なうことが好ましい。
【００１０】
・この照明制御システムにおいては、前記照明器具の寿命が規定の寿命よりも長い状態を「通常状態」とし、前記照明器具の寿命が前記規定の寿命よりも短い状態を「末期状態」とし、前記照明器具の寿命を消耗させる因子を「消耗因子」とし、この消耗因子の増加度合いを「消耗速度」として、前記複数の照明器具の少なくとも１つが前記末期状態のとき、前記末期状態の照明器具の消耗速度を前記通常状態の照明器具の消耗速度よりも小さくすることが好ましい。
【００１１】
・この照明制御システムにおいては、累積使用時間が規定の時間よりも大きい照明器具を前記末期状態の照明器具として取り扱うことが好ましい。
・この照明制御システムにおいては、前記複数の照明器具について寿命が短い順に順位付けすること、ならびに、寿命が所定の順位までの照明器具を「短寿命器具」とし、前記所定の順位よりも下位の寿命の照明器具を「長寿命器具」として、前記短寿命器具の消耗速度を前記長寿命器具の消耗速度よりも小さくすることが好ましい。
【００１２】
・この照明制御システムにおいては、前記消耗速度の変更の対象とする照明器具を「制御対象器具」とし、前記制御対象器具を設定するための優先順位を「制御優先順位」とし、前記短寿命照明器具の総数を「短寿命器具総数」として、前記短寿命器具数が所定数よりも大きいとき、前記制御優先順位に基づいて前記複数の短寿命照明器具のなかから前記制御対象器具に設定する照明器具を選択することが好ましい。
【００１３】
・この照明制御システムにおいては、前記複数の照明器具のなかに照明器具のグループとして第１照明グループおよび第２照明グループを設定すること、ならびに、前記複数の照明器具のうちの寿命が最も短いものを「最短寿命器具」として、前記第１照明グループが前記最短寿命器具を含み、かつ前記第２照明グループが前記最短寿命器具を含まないとき、前記第１照明グループの各照明器具の消耗速度を前記第２照明グループの各照明器具の消耗速度よりも小さくすることが好ましい。
【００１４】
・この照明制御システムにおいては、前記複数の照明器具のなかに照明器具のグループとして第１照明グループおよび第２照明グループを設定すること、ならびに、前記第１照明グループに含まれる複数の照明器具のうちの寿命が最も短いものを「第１短寿命器具」とし、前記第２照明グループに含まれる複数の照明器具のうちの寿命が最も短いものを「第２短寿命器具」として、前記第１短寿命器具の寿命が前記第２短寿命器具の寿命よりも短いとき、前記第１照明グループの各照明器具の消耗速度を前記第２照明グループの各照明器具の消耗速度よりも小さくすることが好ましい。
【００１５】
・この照明制御システムにおいては、前記複数の照明器具のなかに照明器具のグループとして第１照明グループおよび第２照明グループを設定すること、ならびに、前記複数の照明器具のうちの寿命が尽きたものを「使用済器具」として、前記第１照明グループが前記使用済器具を含み、かつ前記第２照明グループが前記使用済器具を含まないとき、前記第１照明グループの各照明器具の消耗速度を前記第２照明グループの各照明器具の消耗速度よりも小さくすることが好ましい。
【００１６】
・この照明制御システムにおいては、前記照明器具Ａの周囲に設けられる別の照明器具を「照明器具Ｃ」として、前記照明器具Ａの消耗速度を前記照明器具Ｂの消耗速度よりも小さくしたとき、前記照明器具Ｃの動作状態を前記照明器具Ａの動作状態に応じて変更することが好ましい。
【００１７】
・この照明制御システムにおいては、前記照明器具の寿命が規定の寿命よりも長い状態を「通常状態」とし、前記照明器具の寿命が前記規定の寿命よりも短い状態を「末期状態」として、前記末期状態の照明器具の動作状態を前記通常状態の照明器具の動作状態と異なるものに設定することが好ましい。
【００１８】
・本発明の照明制御システムは、複数の照明器具を個別に制御する照明制御システムにおいて、前記照明器具の寿命が規定の寿命よりも長い状態を「通常状態」とし、前記照明器具の寿命が前記規定の寿命よりも短い状態を「末期状態」として、前記末期状態の照明器具の動作状態を前記通常状態の照明器具の動作状態とは異なるものに設定することを特徴としている。
【００１９】
・この照明制御システムにおいては、前記照明器具の寿命として前記照明器具の電灯の寿命を用いることが好ましい。
【発明の効果】
【００２０】
本発明によれば、各照明器具の器具本体またはバラストまたは電灯の交換が必要になる時期がばらつくことを低減することのできる照明制御システムを提供することができる。
【図面の簡単な説明】
【００２１】
【図１】本発明の第１実施形態の照明制御システムについて、その全体構成を模式的に示す模式図。
【図２】同実施形態の照明制御システムについて、その構成を示すブロック図。
【図３】同実施形態の伝送インターフェースにより実行される「間引き点灯制御」について、その処理手順を示すフローチャート。
【図４】同実施形態の照明制御システムについて、１つの伝送グループにおいて設定される点灯パターンを模式的に示す模式図。
【図５】同実施形態の伝送インターフェースにより実行される「寿命調整制御」について、その処理手順を示すフローチャート。
【図６】同実施形態の照明制御システムについて、１つの伝送グループにおいて設定される点灯パターンを模式的に示す模式図。
【図７】同実施形態の照明制御システムについて、伝送インターフェースによる「寿命調整制御」の実行に基づく照明制御システムの各構成要素の動作を示すシーケンス図。
【図８】本発明の第２実施形態の照明制御システムについて、伝送インターフェースにより実行される「寿命調整制御」について、その処理手順を示すフローチャート。
【図９】同実施形態の照明制御システムについて、１つの伝送グループにおいて設定される点灯パターンを模式的に示す模式図。
【図１０】本発明の第３実施形態の照明制御システムについて、伝送インターフェースにより実行される「照度保証制御」について、その処理手順を示すフローチャート。
【図１１】同実施形態の照明制御システムについて、１つの伝送グループにおいて設定される点灯パターンを模式的に示す模式図。
【発明を実施するための形態】
【００２２】
（第１実施形態）
本実施形態では、照明器具に関する情報を制御する照明制御システム１として本発明を具体化した一例を示している。この照明制御システム１は、オフィスビルの各部屋に設置された照明器具を一元的に監視および制御する。
【００２３】
図１を参照して、照明制御システム１の構成について説明する。
照明制御システム１には、複数の設備機器として、複数の照明器具８０および複数の照明スイッチ９０が設けられている。またこの他に、これら設備機器を個別に制御する上位制御システム１０が設けられている。
【００２４】
上位制御システム１０には、サーバー２０、マスター３０、および伝送インターフェース４０が設けられている。なお、照明制御システム１の制御系統において、サーバー２０が最上位の機器に該当し、その下位側に各機器が順に接続されている。また、伝送インターフェース４０は、１つの上位コントローラー５０、複数の制御コントローラー６０、および複数の伝送アダプター７０を含めて構成されている。
【００２５】
サーバー２０は、照明制御システム１の全体に関する情報を統括して管理する。
マスター３０は、各照明器具８０の動作状況、ならび各照明器具８０に設けられる電灯８６の寿命が近づいたことを示す情報をはじめとして、各設備機器の状況をモニタするブラウザ機能を有している。
【００２６】
制御コントローラー６０は、各照明スイッチ９０に個別に割り当てられたアドレス、および各照明器具８０に個別に割り当てられたアドレスを記憶している。各照明スイッチ９０のアドレスと各照明器具８０のアドレスとは、互いに対応付けられている。
【００２７】
伝送アダプター７０は、制御コントローラー６０のアドレス、自身の伝送アダプター７０としてのアドレス、および対応する各単位設備系統の照明器具８０のアドレスを記憶している。
【００２８】
照明制御システム１においては、複数の単位制御グループＵおよび複数の伝送グループＡが設けられている。上位コントローラー５０には、複数の単位制御グループＵが並列に接続されている。各制御コントローラー６０には、複数の伝送グループＡが並列に接続されている。
【００２９】
単位制御グループＵは、１つの制御コントローラー６０、この制御コントローラー６０に対応する複数の伝送グループＡ、およびこの制御コントローラー６０に対応する複数の照明スイッチ９０を含めて構成されている。伝送グループＡは、１つの伝送アダプター７０、およびこの伝送アダプター７０に対応する複数の照明器具８０を含めて構成されている。
【００３０】
サーバー２０、マスター３０、上位コントローラー５０、制御コントローラー６０、伝送アダプター７０、各照明器具８０、および照明スイッチ９０の接続環境について説明する。なお、以下に記載する各機器間の通信方式は一例であり、各機器間の通信方式を他の通信方式に変更することもできる。
【００３１】
マスター３０およびサーバー２０と上位コントローラー５０とは、伝送線Ｌ１により互いに接続されている。また、マスター３０およびサーバー２０と上位コントローラー５０との間においては、Ｅｔｈｅｒｎｅｔ（登録商標）プロトコルに基づくシリアル通信により信号の送受信が行われる。
【００３２】
上位コントローラー５０と各制御コントローラー６０とは、伝送線Ｌ２により互いに接続されている。また、上位コントローラー５０と各制御コントローラー６０との間においては、Ｅｔｈｅｒｎｅｔ（登録商標）プロトコルに基づくシリアル通信により信号の送受信が行われる。
【００３３】
制御コントローラー６０と各照明スイッチ９０とは、伝送線Ｌ３により互いに接続されている。制御コントローラー６０と各照明スイッチ９０との間においては、ＮＭＡＳＴ（登録商標）プロトコルに基づく通信により信号の送受信が行われる。
【００３４】
制御コントローラー６０と各伝送アダプター７０とは、伝送線Ｌ４によりバス接続されている。また、制御コントローラー６０と伝送アダプター７０との間においては、デジタル変調通信により信号の送受信が行われる。
【００３５】
伝送アダプター７０と各照明器具８０とは、伝送線Ｌ５により互いに接続されている。また、伝送線Ｌ５により直列に接続された複数の照明器具８０の系統を単位設備系統としたとき、１つの伝送アダプター７０には複数の単位設備系統が並列に接続されている。また、伝送アダプター７０と各照明器具８０との間においては、ＤＡＬＩ（Ｄｉｇｉｔａｌ  ＡｄＤＲＬｓｓａｂｌｅ  Ｌｉｇｈｔｉｎｇ  Ｉｎｔｅｒｆａｃｅ）規格に基づく通信により信号の送受信が行われる。
【００３６】
図１を参照して、制御コントローラー６０および伝送アダプター７０の構成について説明する。なお、ここで説明する制御コントローラー６０と伝送アダプター７０との関係は、１つの制御コントローラー６０に接続される全部の伝送アダプター７０に共通する。
【００３７】
制御コントローラー６０と伝送アダプター７０との間においては、制御コントローラー６０から伝送アダプター７０を介して各単位設備系統の照明器具８０に送信される情報が１つの伝送情報ＤＢに含められる。また、各単位設備系統の照明器具８０から伝送アダプター７０を介して制御コントローラー６０に送信される情報が１つの伝送情報ＤＢに含められる。
【００３８】
伝送アダプター７０は、所定の受信期間が経過する毎に、同受信期間において受信した各単位設備系統の情報を含めて１つの伝送情報ＤＢを生成し、この伝送情報ＤＢを制御コントローラー６０に送信する。また、制御コントローラー６０からの伝送情報ＤＢを受信したとき、この伝送情報ＤＢに含まれる各照明器具８０宛ての情報を取り出し、この情報を対応する各照明器具８０に送信する。
【００３９】
図２を参照して、伝送インターフェース４０および照明器具８０の構成について説明する。なお、伝送インターフェース４０には、１つの上位コントローラー５０、複数の制御コントローラー６０、および複数の伝送アダプター７０が設けられているが、ここでは制御コントローラー６０および伝送アダプター７０をそれぞれ１つだけ記載している。
【００４０】
伝送インターフェース４０には、処理部４１、下位通信部４２、および上位通信部４３が設けられている。処理部４１は、上位コントローラー５０、制御コントローラー６０、および伝送アダプター７０のそれぞれに設けられる処理部の全てを含めて構成されている。下位通信部４２は、伝送アダプター７０の通信部を含めて構成されている。上位通信部４３は、上位コントローラー５０の通信部を含めて構成されている。
【００４１】
処理部４１は、入力された信号に基づいて各種の制御を行う。同制御の一例として、各照明器具８０のうちの一部の電灯を消灯状態に設定する間引き点灯制御、および各照明器具８０間の寿命の差に応じて電灯８６の動作状態を変更する寿命調整制御が挙げられる。
【００４２】
下位通信部４２は、照明器具８０との間でＤＡＬＩ規格に基づく通信により信号の送受信を行う。上位通信部４３は、サーバー２０またはマスター３０との間でＥｔｈｅｒｎｅｔ（登録商標）プロトコルに基づくシリアル通信により信号の送受信を行う。
【００４３】
照明器具８０には、建造物に取り付けられる器具本体８１と、器具本体８１に取り付けられる電灯８６とが設けられている。器具本体８１には、処理部８２、下位通信部８３、および点灯回路部８４が設けられている。
【００４４】
処理部８２は、入力された信号に基づいて各種の制御を行う。同制御の一例として、照明器具８０の動作状態および動作状況を示す情報を生成し、この情報を伝送アダプター７０に送信するものが挙げられる。
【００４５】
電灯８６は、蛍光電灯を含めて構成されている。点灯回路部８４は、電灯８６を点灯させるバラスト８５を有する。下位通信部８３は、伝送アダプター７０との間でＤＡＬＩ規格に基づく通信により信号の送受信を行う。
【００４６】
照明器具８０においては、処理部８２により電灯８６の累積使用時間のカウントが行なわれる。また、カウントされた累積時使用時間が処理部８２の記憶部に記憶される。また、電灯８６が古い電灯８６から新しい電灯８６に交換されたとき、古い電灯８６の累積使用時間が過去累積使用時間として処理部８２の記憶部に記憶される。このとき、累積使用時間が初期化されることにより、新しい電灯８６の累積使用時間のカウントが「０」から開始される。下位通信部８３は、伝送インターフェース４０から累積使用時間の送信を要求されたとき、累積使用時間を伝送インターフェース４０に送信する。
【００４７】
伝送インターフェース４０は、下位通信部８３から累積使用時間を受信したとき、累積使用時間を照明器具８０の電灯８６の寿命の指標として用いる。すなわち、累積使用時間が長くなるにつれて照明器具８０の電灯８６の寿命が短くなるものとして寿命調整制御を行なう。
【００４８】
図１を参照して、照明器具８０に関する制御等について説明する。
伝送インターフェース４０は、照明スイッチ９０の動作状態、予めプログラムされた間引き点灯制御および寿命調整制御に基づいて照明器具８０の動作状態を変更する。照明器具８０の動作状態には、「点灯状態」および「消灯状態」が含まれる。「点灯状態」は、電灯８６が点灯しているときの照明器具８０の動作状態を示す。また「消灯状態」は、電灯８６が消灯しているときの照明器具８０の動作状態を示す。
【００４９】
照明スイッチ９０は、トリガ入力としてのスイッチの動作状態の切り替えに基づいて、トリガ入力に対応した監視情報ＤＭをＮＭＡＳＴ（登録商標）プロトコルに基づく通信により制御コントローラー６０に送信する。
【００５０】
制御コントローラー６０は、各照明スイッチ９０からトリガ入力としての監視情報ＤＭを受信したとき、この監視情報ＤＭに対応した照明器具８０を点灯するための個別点灯制御情報ＤＬを生成する。また、各照明スイッチ９０に対して複数の照明器具８０が対応付けられているとき、各照明器具８０宛ての個別点灯制御情報ＤＬを含む１つの伝送情報ＤＢを生成する。そして、個別点灯制御情報ＤＬまたは伝送情報ＤＢを伝送アダプター７０に送信する。なお、監視情報ＤＭの送信元である各照明スイッチ９０と個別点灯制御情報ＤＬの送信先となる照明器具８０との対応関係は予め設定されている。
【００５１】
伝送アダプター７０は、制御コントローラー６０から送信された伝送情報ＤＢを受信したとき、この伝送アダプター７０の下位側に接続されている照明器具８０のアドレスが同伝送情報ＤＢに含まれているか否かを判定する。そして、照明器具８０のアドレスが含まれている旨判定したときには、伝送情報ＤＢから照明器具８０宛ての個別点灯制御情報ＤＬを取り出し、この個別点灯制御情報ＤＬを対応する照明器具８０に送信する。
【００５２】
照明器具８０は、伝送アダプター７０からこの照明器具８０宛てに送信された個別点灯制御情報ＤＬを受信したとき、個別点灯制御情報ＤＬに基づいて点灯回路部８４の出力を制御する。すなわち、処理部８２により次のように照明器具８０の動作状態および調光率の制御が行なわれる。
【００５３】
処理部８２は、個別点灯制御情報ＤＬに基づいて、照明器具８０の動作状態を変更するための指令信号、および照明器具８０の調光率を変更するためのＰＷＭ調光信号の少なくとも一方を点灯回路部８４に送信する。点灯回路部８４は、処理部８２から指令信号またはＰＷＭ調光信号を受信したとき、信号に応じた電流を電灯８６に出力する。なお、調光率は、ＰＷＭ調光信号のＤＵＴＹ比に応じて変更される。
【００５４】
照明器具８０に関する一連の制御の流れを以下に示す。
照明スイッチ９０がオフからオンに切り替えられたとき、または照明スイッチ９０がオンからオフに切り替えられたとき、照明スイッチ９０から制御コントローラー６０に監視情報ＤＭが送信される。そして、制御コントローラー６０において個別点灯制御情報ＤＬが生成された後、制御コントローラー６０から伝送アダプター７０に個別点灯制御情報ＤＬを含む伝送情報ＤＢが送信される。
【００５５】
次に、伝送アダプター７０において伝送情報ＤＢから個別点灯制御情報ＤＬが取り出された後、この個別点灯制御情報ＤＬが伝送アダプター７０から照明器具８０に送信される。そして、照明器具８０においてこの個別点灯制御情報ＤＬが受信されたとき、同照明器具８０が個別点灯制御情報ＤＬに対応して動作する。すなわち、監視情報ＤＭおよび個別点灯制御情報ＤＬが照明スイッチ９０のオフからオンへの操作に基づく情報のとき、電灯８６が点灯される。また、監視情報ＤＭおよび個別点灯制御情報ＤＬが照明スイッチ９０のオンからオフへの操作に基づく情報のとき、電灯８６が消灯される。
【００５６】
図３を参照して、間引き点灯制御の内容について説明する。間引き点灯制御は、伝送インターフェース４０により所定の制御周期毎に繰り返し行なわれる。すなわち、最後のステップの処理が終了した後、所定の制御周期が経過するまでは間引き点灯制御の実行が保留され、所定の制御周期が経過したときに再び間引き点灯制御が行なわれる。
【００５７】
この制御においては、複数の照明器具８０により構成される照明器具８０のグループ（以下、「照明グループ」）を１つの伝送グループＡに対して複数設定し、照明グループ単位で各照明器具８０の動作状態を制御する。また、照明グループ単位で照明器具８０の動作状態が互いに異なる複数の点灯パターンを予め用意し、一定時間が経過する毎に点灯パターンを現在の点灯パターンから別の点灯パターンに変更する。
【００５８】
ここでは、照明グループとして、１つの伝送グループＡに対して２つの照明グループ、すなわち第１照明グループＧＡおよび第２照明グループＧＢを設定している。また、点灯パターンとして以下の第１点灯パターンおよび第２点灯パターンを設定している。
【００５９】
（Ａ）第１点灯パターンにおいては、第１照明グループＧＡの各照明器具８０の動作状態が点灯状態、かつ第２照明グループＧＢの各照明器具８０の動作状態が消灯状態に設定される。
【００６０】
（Ｂ）第２点灯パターンにおいては、第１照明グループＧＡの各照明器具８０の動作状態が消灯状態、かつ第２照明グループＧＢの各照明器具８０の動作状態が点灯状態に設定される。
【００６１】
間引き点灯制御の具体的な手順を以下に示す。
ステップＳ１１では、間引き点灯制御による点灯パターンの変更を行なう要求（以下、「間引き要求」）が設定されているか否かを判定する。間引き要求の初期値としては、自然光の大きい昼間の所定時間帯において点灯パターンの変更を行なうものが設定されている。この要求の内容は、マスター３０の操作により変更することができる。
【００６２】
間引き要求についての変更可能な内容には、以下のものが含まれている。
（Ａ）間引き要求の設定および解除。
（Ｂ）点灯パターンの実行を行なう時間帯。
（Ｃ）使用する点灯パターン。
【００６３】
ステップＳ１２では、寿命調整制御によりパターン変更指令が設定されているか否かを判定する。パターン変更指令が設定されているとき、ステップＳ１６の処理に移行する。パターン変更指令が設定されていないとき、ステップＳ１３の処理に移行する。
【００６４】
ステップＳ１３では、現在の点灯パターンが選択されてからの経過時間（以下、「パターン継続時間」）が規定時間以上か否かを判定する。パターン継続時間が規定時間未満のとき、ステップＳ１４の処理に移行する。パターン継続時間が規定時間以上のとき、ステップＳ１５の処理に移行する。
【００６５】
ステップＳ１４では、現在の点灯パターンを引き続き選択する。
ステップＳ１５では、現在の点灯パターンから別の点灯パターンに変更する。具体的には次のように点灯パターンの変更を行なう。
【００６６】
（Ａ）現在の点灯パターンが第１点灯パターンのとき、点灯パターンを第１点灯パターンから第２点灯パターンに変更する。また、点灯パターンの変更にともない、新たに選択した第２点灯パターンについてパターン継続時間のカウントを開始する。
【００６７】
（Ｂ）現在の点灯パターンが第２点灯パターンのとき、点灯パターンを第２点灯パターンから第１点灯パターンに変更する。また、点灯パターンの変更にともない、新たに選択した第１点灯パターンについてパターン継続時間のカウントを開始する。
【００６８】
ステップＳ１６では、パターン変更指令により指定されている点灯パターンを選択する。パターン変更指令に基づいて点灯パターンを変更したときにも、新たに選択した点灯パターンについてパターン継続時間をカウントする。
【００６９】
具体的には、次のように点灯パターンの選択を行なう。
（Ａ）パターン変更指令により第１点灯パターンが指定され、かつ現在の点灯パターンが第１点灯パターンのとき、引き続き第１点灯パターンを選択する。
（Ｂ）パターン変更指令により第１点灯パターンが指定され、かつ現在の点灯パターンが第２点灯パターンのとき、点灯パターンを第１点灯パターンに変更する。
（Ｃ）パターン変更指令により第２点灯パターンが指定され、かつ現在の点灯パターンが第２点灯パターンのとき、引き続き第２点灯パターンを選択する。
（Ｄ）パターン変更指令により第２点灯パターンが指定され、かつ現在の点灯パターンが第１点灯パターンのとき、点灯パターンを第２点灯パターンに変更する。
【００７０】
このように間引き点灯制御においては、寿命調整制御により設定されるパターン変更指令、または間引き点灯制御によりカウントしたパターン継続時間に基づいて、点灯パターンの変更を行なう。また、パターン継続時間に基づく制御よりもパターン変更指令に基づく制御を優先して行なう。
【００７１】
図４を参照して、間引き点灯制御の一例について説明する。なお、図４において、白抜きの電灯８６は点灯状態の電灯８６を示している。また、ハッチング入りの電灯８６は消灯状態の電灯８６を示している。
【００７２】
ここでは、１つの伝送グループＡ内において、縦３列および横３列に配置された合計９個の照明器具８０が設けられている構成を前提とする。９個の照明器具８０には、それぞれ１〜９までの番号が割り付けられている。以下では、１番〜９番の各番号が割り付けられた照明器具８０をそれぞれ「第１照明器具８０Ａ」〜「第９照明器具８０Ｉ」として示す。
【００７３】
各照明グループには、次の照明器具８０が含まれている。
（Ａ）第１照明グループＧＡには、奇数番号の５つの照明器具８０、すなわち第１照明器具８０Ａ、第３照明器具８０Ｃ、第５照明器具８０Ｅ、第７照明器具８０Ｇ、および第９照明器具８０Ｉが含まれている。
【００７４】
（Ｂ）第２照明グループＧＢには、偶数番号の４つの照明器具８０、すなわち第２照明器具８０Ｂ、第４照明器具８０Ｄ、第６照明器具８０Ｆ、および第８照明器具８０Ｈが含まれている。
【００７５】
各照明器具８０の動作状態は点灯パターンに応じて次のように変更される。
図４（ａ）に示されるように、第１点灯パターンにおいては、第１照明グループＧＡの全ての照明器具８０を点灯状態に設定し、第２照明グループＧＢの全ての照明器具８０を消灯状態に設定する。そして、第１点灯パターンのパターン継続時間が規定時間以上のとき、または寿命調整制御により第２点灯パターンへの変更指令が設定されたとき、点灯パターンが第１点灯パターンから第２点灯パターンに変更される。
【００７６】
図４（ｂ）に示されるように、第２点灯パターンにおいては、第１照明グループＧＡの全ての照明器具８０を消灯状態に設定し、第２照明グループＧＢの全ての照明器具８０を点灯状態に設定する。そして、第２点灯パターンのパターン継続時間が規定時間以上のとき、または寿命調整制御により第１点灯パターンへの変更指令が設定されたとき、点灯パターンが第２点灯パターンから第１点灯パターンに変更される。
【００７７】
図５を参照して、寿命調整制御の内容について説明する。寿命調整制御は、伝送インターフェース４０により所定の制御周期毎に繰り返し行なわれる。すなわち、最後のステップの処理が終了した後、所定の制御周期が経過するまでは寿命調整制御の実行が保留され、所定の制御周期が経過したときに再び寿命調整制御が行なわれる。
【００７８】
寿命調整制御では、同一の伝送グループＡに属する各照明器具８０の電灯８６の寿命の差が大きくなることを抑制するため、各照明器具８０から受信した電灯８６の累積使用時間に基づいて点灯パターンの変更を行なう。すなわち、所定の制御周期毎に伝送グループＡに属する各照明器具８０のうちの最も寿命が短い照明器具８０（最短寿命器具）を抽出し、最短寿命器具を含む照明グループの各照明器具８０が消灯状態となる点灯パターンを選択する。
【００７９】
寿命調整制御の具体的な手順を以下に示す。
ステップＳ２１では、各照明器具８０に累積使用時間要求を送信する。
ステップＳ２２では、各照明器具８０から累積使用時間を取得する。
【００８０】
ステップＳ２３では、各照明器具８０のうちの累積使用時間が最も長いものを抽出し、この照明器具８０を最短寿命器具に設定する。累積使用時間が最も長い照明器具８０が複数あるときには、これらの照明器具８０の全部を最短寿命器具に設定する。
【００８１】
ステップＳ２４では、最短寿命器具が複数あるか否かを判定する。最短寿命器具が複数あるときにはステップＳ２５の処理を実行してステップＳ２６に移行する。最短寿命器具が１つのときにはステップＳ２５の処理を省略してステップＳ２６に移行する。
【００８２】
ステップＳ２５では、各照明器具８０に設定されている消灯優先順位を確認し、消灯優先順位が最も高い１つの最短寿命器具のみについて最短寿命器具の設定を維持し、他の最短寿命器具については最短寿命器具の設定を解除する。
【００８３】
例えば、図４の第１照明器具８０Ａ、第２照明器具８０Ｂ、および第３照明器具８０Ｃが最短寿命器具に設定され、かつ第１照明器具８０Ａ〜第３照明器具８０Ｃの順に消灯優先順位が設定されているとき、第１照明器具８０Ａが最短寿命器具に設定される。
【００８４】
ステップＳ２６では、最短寿命器具が点灯状態か否かを判定する。最短寿命器具が点灯状態のときにはステップＳ２７の処理に移行する。最短寿命器具が消灯状態のときにはステップＳ２７およびステップＳ２８の処理を省略する。
【００８５】
ステップＳ２７では、伝送グループＡの照明器具８０の点灯パターンを現在の点灯パターンから他方の点灯パターンに変更するためのパターン変更指令を設定する。具体的には以下の態様で行なう。
【００８６】
（Ａ）現在の点灯パターンが図４（ａ）の第１点灯パターンのとき、すなわち第１照明グループＧＡが点灯状態かつ第２照明グループＧＢが消灯状態のとき、点灯パターンを図４（ｂ）の第２点灯パターンに変更するためのパターン変更指令を設定する。
【００８７】
（Ｂ）現在の点灯パターンが図４（ｂ）の第２点灯パターンのとき、すなわち第１照明グループＧＡが消灯状態かつ第２照明グループＧＢが点灯状態のとき、点灯パターンを図４（ａ）の第１点灯パターンに変更するためのパターン変更指令を設定する。
【００８８】
ステップＳ２８では、パターン変更指令に対応する個別点灯制御情報ＤＬを各照明器具８０に送信する。具体的には次のように各照明器具８０に対する個別点灯制御情報ＤＬの送信を行なう。
【００８９】
（Ａ）パターン変更指令により第１点灯パターンが指定されているとき、第１照明グループＧＡの各照明器具８０には点灯状態に設定する旨の情報を送信し、第２照明グループＧＢの各照明器具８０には消灯状態に設定する旨の情報を送信する。
【００９０】
（Ｂ）パターン変更指令により第２点灯パターンが指定されているとき、第１照明グループＧＡの各照明器具８０には消灯状態に設定する旨の情報を送信し、第２照明グループＧＢの各照明器具８０には点灯状態に設定する旨の情報を送信する。
【００９１】
このように寿命調整制御においては、点灯状態を照明器具８０の寿命を消耗させる消耗因子とし、点灯状態の選択にともなう累積使用時間の増加度合いを消耗因子の増加度合いとしての消耗速度として、第１照明グループＧＡまたは第２照明グループＧＢに最短寿命器具が含まれるとき、この照明グループの動作状態を消灯状態に設定する。すなわち、一方の照明グループに含まれる最短寿命器具の累積使用時間の増加度合いを他方の照明グループの照明器具８０の累積使用時間の増加度合いよりも小さくする。
【００９２】
図５および図６を参照して、寿命調整制御の実行態様の一例について説明する。なお、図６においては、各照明器具８０をセルとして示している。また、各セル内に記載の数字は、対応する照明器具８０の累積使用時間を示している。また、白抜きのセルは点灯状態の照明器具８０を示している。また、ハッチング入りのセルは消灯状態の照明器具８０を示している。
【００９３】
図６においては、寿命調整制御の所定の制御周期として「３時間」が設定されていることを前提として、３時間毎に寿命調整制御が行なわれることにともなう各照明器具８０の動作状態の変化が示されている。
【００９４】
図６（ａ）は、任意の時間においての各照明器具８０の状態を、図６（ｂ）は、図６（ａ）の状態から３時間が経過した後の各照明器具８０の状態を示している。また、図６（ｃ）は図６（ｂ）と同時間において点灯パターンが変更された状態を、図６（ｄ）は図６（ｃ）の状態から３時間が経過した後の各照明器具８０の状態を示している。また、図６（ｅ）は図６（ｄ）と同時間において点灯パターンが変更された状態を示している。
【００９５】
各照明器具８０が図６（ａ）に示される状態のとき、すなわち点灯パターンが第１点灯パターンに設定されているとき、図５の寿命調整制御において次のように各ステップの処理が行なわれる。
【００９６】
ステップＳ２３では、累積使用時間が「１０時間」の第２照明器具８０Ｂが最短寿命器具に設定される。次のステップＳ２６では、第２照明器具８０Ｂが消灯状態にある旨判定される。このため、現在の第１点灯パターンが維持された状態で寿命調整制御が一旦終了する。
【００９７】
寿命調整制御が一旦終了されてから第１点灯パターンが維持された状態で３時間が経過したとき、各照明器具８０の累積使用時間は図６（ａ）に示される累積使用時間から図６（ｂ）に示される累積使用時間に変化する。
【００９８】
各照明器具８０が図６（ｂ）に示される状態のとき、すなわち点灯パターンが第１点灯パターンに設定されているとき、図５の寿命調整制御において次のように各ステップの処理が行なわれる。
【００９９】
ステップＳ２３では、累積使用時間が「１１時間」の第５照明器具８０Ｅが最短寿命器具に設定される。次のステップＳ２６では、第５照明器具８０Ｅが点灯状態にある旨判定される。
【０１００】
このため、次のステップＳ２７では、点灯パターンが第１点灯パターンから第２点灯パターンに変更される。次のステップＳ２８では、第２点灯パターンに対応する個別点灯制御情報ＤＬが各照明器具８０に送信される。このため、点灯パターンが図６（ｂ）の第１点灯パターンから図６（ｃ）の第２点灯パターンに変更される。そして、点灯パターンの変更後に寿命調整制御が一旦終了する。
【０１０１】
寿命調整制御が一旦終了されてから第２点灯パターンが維持された状態で３時間が経過したとき、各照明器具８０の累積使用時間は図６（ｃ）に示される累積使用時間から図６（ｄ）に示される累積使用時間に変化する。
【０１０２】
各照明器具８０が図６（ｄ）に示される状態のとき、すなわち点灯パターンが第２点灯パターンに設定されているとき、図４の寿命調整制御において次のように各ステップの処理が行なわれる。
【０１０３】
ステップＳ２３では、累積使用時間が「１３時間」の第２照明器具８０Ｂが最短寿命器具に設定される。次のステップＳ２６では、第２照明器具８０Ｂが点灯状態にある旨判定される。
【０１０４】
このため、次のステップＳ２７では、点灯パターンが第２点灯パターンから第１点灯パターンに変更される。次のステップＳ２８では、第１点灯パターンに対応する個別点灯制御情報ＤＬが各照明器具８０に送信される。このため、点灯パターンが図６（ｄ）の第２点灯パターンから図６（ｅ）の第１点灯パターンに変更される。そして、点灯パターンの変更後に寿命調整制御が一旦終了する。
【０１０５】
図７のシーケンス図を参照して、寿命調整制御の流れについて説明する。
伝送インターフェース４０は、１つの伝送グループＡに所属する各照明器具８０に対して電灯８６の累積使用時間を要求する累積使用時間要求を照明器具８０に送信する。各照明器具８０は、伝送インターフェース４０から累積使用時間要求を受信したとき、記憶部から累積使用時間を取得する。そして、取得した累積使用時間を伝送インターフェース４０に送信する。
【０１０６】
伝送インターフェース４０は、各照明器具８０から累積使用時間を受信したとき、各照明器具８０の累積使用時間を比較する。そして、比較の結果に基づいて各照明器具８０に対する個別点灯制御情報ＤＬを作成し、この個別点灯制御情報ＤＬを各照明器具８０に送信する。各照明器具８０は、伝送インターフェース４０から個別点灯制御情報ＤＬを受信したとき、この個別点灯制御情報ＤＬに基づいて電灯８６を点灯または消灯する。
【０１０７】
（実施形態の効果）
本実施形態の照明制御システム１によれば以下の効果が得られる。
（１）照明制御システム１は、第１照明グループＧＡに含まれる照明器具８０の電灯８６の寿命、および第２照明グループＧＢに含まれる照明器具８０の電灯８６の寿命に応じて、各照明器具８０の点灯パターンを変更する。すなわち、第１照明グループＧＡに最短寿命器具が含まれるとき、第１照明グループＧＡを消灯状態に設定し、かつ第２照明グループＧＢを点灯状態に設定する。また、第２照明グループＧＢに最短寿命器具が含まれるとき、第２照明グループＧＢを消灯状態に設定し、かつ第１照明グループＧＡを点灯状態に設定する。
【０１０８】
この構成によれば、最短寿命器具としての照明器具８０の電灯８６の寿命と、最短寿命器具が含まれない照明グループの各照明器具８０の電灯８６の寿命との差が大きくなることが抑制される。このため、最短寿命器具と同器具を含まない他の照明グループとの使用時間に大きな差が生じることが抑制される。
【０１０９】
（２）照明制御システム１は、同一の伝送グループＡに属する照明器具８０において短寿命器具数が所定数よりも大きいとき、消灯優先順位に基づいて複数の短寿命照明器具のなかから制御対象器具に設定する１つの照明器具８０を選択する。
【０１１０】
この構成によれば、累積点灯時間が同一の照明器具８０が複数ある場合において、全ての照明器具８０の動作状態が消灯状態に設定されることが抑制される。また、ユーザーの生活環境に適した順位を消灯優先順位として設定することにより、間引き点灯制御に起因してユーザーの利便性が低下することが抑制される。なお、ユーザーの生活環境に適した消灯優先順位の一例として、デスクの配置場所または部屋の入口に近い場所の消灯優先順位を低くするものが挙げられる。この場合には、ユーザーが頻繁に利用する可能性の高い場所の照明器具８０が消灯状態に設定される頻度が少なくなるため、ユーザーの利便性の低下が抑制される。
【０１１１】
（３）照明制御システム１は、サーバー２０と照明器具８０との間で情報の送受信を仲介する伝送インターフェース４０を有する。この構成によれば、通信方式が互いに異なる照明器具８０とサーバー２０との間において、信号の送受信を行うことができる。
【０１１２】
（４）照明制御システム１の伝送アダプター７０は、複数の照明器具８０のそれぞれから送信された情報を１つの伝送情報ＤＢにまとめて上位側に送信する機能を有する。また、上位側から受信した複数の照明器具８０のそれぞれに対する情報をまとめた伝送情報ＤＢを複数の照明器具８０に送信する機能を有する。
【０１１３】
この構成によれば、伝送アダプター７０に直接的に接続される複数の照明器具８０の情報が集約されるため、照明器具８０とサーバー２０または制御コントローラー６０との間での情報の伝達量が増大することが抑制される。
【０１１４】
（５）照明制御システム１の上位制御システム１０は、複数の照明器具８０を一元的に管理する上位コントローラー５０を有する。この構成によれば、複数の照明器具８０の動作状態を一括して把握することができる。
【０１１５】
（６）照明制御システム１は、複数の単位制御グループＵを有する。また、上位コントローラー５０には、複数の単位制御グループＵの制御コントローラー６０が並列的に接続されている。
【０１１６】
この構成によれば、制御コントローラー６０を１つだけ備え、かつ同コントローラー５０に対して全ての照明器具８０が接続される構成と比較して、１つの制御コントローラー６０の記憶容量を小さくすることができる。
【０１１７】
（７）照明制御システム１は、通信機能を有する各照明器具８０と、各照明器具８０との間で情報を送受信する制御コントローラー６０とを有する。
この構成によれば、照明器具８０が通信機能を有しているため、照明器具８０の動作状態の制御および動作状況の監視のために、照明器具８０とは別に通信機能を有する装置（例えばリレー制御端末器）を設ける必要がない。また、リレー制御端末器を設ける構成においては、分電盤内に配置されるリモコンリレーと照明器具８０との間の配線が必要となるため、レイアウトの変更にともない照明器具８０のグループ分けが変更されるときには配線の変更も必要となる。本実施形態の上記構成によれば、リレー制御端末器が不要となるため、各照明器具８０のグループ分けを容易に変更することができる。
【０１１８】
（第２実施形態）
本実施形態の照明制御システム１は、図１および図２の第１実施形態の照明制御システム１の間引き点灯制御および寿命調整制御の内容を次のように変更したものとして構成されている。
【０１１９】
（Ａ）第１実施形態の間引き点灯制御においては、選択可能な点灯パターンとして、第１点灯パターンおよび第２点灯パターンが用意されている。これに対して本実施形態の間引き点灯制御においては、選択可能な点灯パターンとして、１つの伝送グループＡの照明器具８０のうち特定数の照明器具を消灯状態に設定し、かつ他の照明器具を点灯状態に設定する全ての点灯パターンが用意されている。
【０１２０】
（Ｂ）第１実施形態の寿命調整制御においては、消灯状態に設定する照明器具８０の優先順位を定めるものとして消灯優先順位が予め設定されている。これに対して本実施形態の寿命調整制御においては、各照明器具８０の累積使用時間の順位に基づいて、消灯状態に設定する照明器具８０の優先順位がその都度定められる。
【０１２１】
なお、本実施形態の照明制御システム１において、上記変更点およびこの変更に関連する構成以外は第１実施形態の照明制御システム１と同様の構成が採用されているため、同実施形態と共通する構成については同一の符号を付してその説明の一部または全部を適宜省略する。
【０１２２】
図３を参照して、本実施形態の間引き点灯制御の内容について説明する。
ステップＳ１１〜Ｓ１４、およびＳ１６において第１実施形態の間引き点灯制御と同じ処理を行なう。ステップＳ１５では、現在の点灯パターンから別の点灯パターンに変更する。
【０１２３】
この間引き点灯制御においては、選択可能な点灯パターンとして、点灯状態の照明器具８０が５つかつ消灯状態の照明器具８０が４つに設定される点灯パターンの全てが用意されている。このなかには、第１実施形態の第１点灯パターンも含まれる。
【０１２４】
図８を参照して、寿命調整制御の内容について説明する。寿命調整制御は、伝送インターフェース４０により所定の制御周期毎に繰り返し行なわれる。すなわち、最後のステップの処理が終了した後、所定の制御周期が経過するまでは寿命調整制御の実行が保留され、所定の制御周期が経過したときに再び寿命調整制御が行なわれる。
【０１２５】
寿命調整制御では、同一の伝送グループＡに属する各照明器具８０の電灯８６の寿命の差が大きくなることを抑制するため、各照明器具８０から受信した電灯８６の累積使用時間に基づいて点灯パターンの変更を行なう。
【０１２６】
すなわち、所定の制御周期毎に伝送グループＡに属する各照明器具８０の寿命を寿命が短い順に順位付けし、１位から所定の順位までの照明器具８０を短寿命器具とし、所定の順位よりも下位の照明器具８０を長寿命器具として取り扱う。そして、短寿命器具を消灯状態に設定し、かつ長寿命器具を点灯状態に設定する点灯パターンを「短寿命消灯パターン」として、点灯パターンを現在の点灯パターンから短寿命消灯パターンに変更するためのパターン変更指令を設定する。
【０１２７】
寿命調整制御の具体的な手順を以下に示す。
ステップＳ３１では、各照明器具８０に累積使用時間要求を送信する。
ステップＳ３２では、各照明器具８０から累積使用時間を取得する。
【０１２８】
ステップＳ３３では、各照明器具８０の累積使用時間が長い順に順位付けする。
ステップＳ３４では、累積使用時間が同じ照明器具８０があるか否かを判定する。累積使用時間が同じ照明器具８０があるとき、ステップＳ３５の処理を実行してステップＳ３６に移行する。累積使用時間が同じ照明器具８０がないとき、ステップＳ３５の処理を省略してステップＳ３６に移行する。
【０１２９】
ステップＳ３５では、各照明器具８０に設定されている消灯優先順位を確認し、累積使用時間が同じ複数の照明器具８０に対して消灯優先順位が高い順に順位付けする。
ステップＳ３６では、伝送グループＡの照明器具８０の点灯パターンを現在の点灯パターンから短寿命消灯パターンに変更するためのパターン変更指令を設定する。ここでは、短寿命消灯パターンとして、累積使用時間の長さが１位〜４位の照明器具８０を消灯状態に設定し、かつ５位〜９位の照明器具８０を点灯状態に設定するものが選択される。
【０１３０】
ステップＳ３７では、パターン変更指令に対応する個別点灯制御情報ＤＬを各照明器具８０に送信する。具体的には、図９に示されるように各照明器具８０に対する個別点灯制御情報ＤＬの送信を行なう。
【０１３１】
図８および図９を参照して、寿命調整制御の実行態様の一例について説明する。なお、図９においては、各照明器具８０をセルとして示している。また、各セル内に記載の数字は、対応する照明器具８０の累積使用時間を示している。また、白抜きのセルは点灯状態の照明器具８０を示している。また、ハッチング入りのセルは消灯状態の照明器具８０を示している。
【０１３２】
図９においては、寿命調整制御の所定の制御周期として「３時間」が設定されていることを前提として、３時間毎に寿命調整制御が行なわれることにともなう各照明器具８０の動作状態の変化が示されている。
【０１３３】
図９（ａ）は、任意の時間においての各照明器具８０の状態を、図９（ｂ）は図９（ａ）と同時間において点灯パターンが変更された状態を示している。図９（ｃ）は図９（ｂ）の状態から３時間が経過した後の各照明器具８０の状態を示している。また、図９（ｄ）は図９（ｃ）と同時間において点灯パターンが変更された状態を示している。
【０１３４】
各照明器具８０が図９（ａ）に示される状態のとき、すなわち点灯パターンが第１点灯パターンに設定されているとき、図８の寿命調整制御において次のように各ステップの処理が行なわれる。
【０１３５】
ステップＳ３３では、各照明器具８０に対して累積使用時間の長い順に１位〜９位の順位が付けられる。このため、次のステップＳ３６では、点灯パターンが第１点灯パターンから短寿命消灯パターンに変更される。これにより、累積使用時間が１位〜４位までの照明器具８０、すなわち第１照明器具８０Ａ、第４照明器具８０Ｄ、第５照明器具８０Ｅ、および第６照明器具８０Ｆが消灯状態に変更される。また、累積使用時間が５位〜９位の照明器具８０、すなわち第２照明器具８０Ｂ、第３照明器具８０Ｃ、第７照明器具８０Ｇ、第８照明器具８０Ｈ、および第９照明器具８０Ｉが点灯状態に変更される。
【０１３６】
次のステップＳ３７では、ステップＳ３６で設定した短寿命消灯パターンに対応する個別点灯制御情報ＤＬが各照明器具８０に送信される。このため、点灯パターンが図９（ａ）の第１点灯パターンから図９（ｂ）の短寿命消灯パターンに変更される。そして、点灯パターンの変更後に寿命調整制御が一旦終了される。
【０１３７】
寿命調整制御が一旦終了されてから点灯パターンが維持された状態で３時間が経過したとき、各照明器具８０の累積使用時間は、図９（ｂ）に示される累積使用時間から図９（ｃ）に示される累積使用時間に変化する。
【０１３８】
各照明器具８０が図９（ｃ）に示される状態のとき、すなわち点灯パターンが短寿命消灯パターンに設定されているとき、図８の寿命調整制御において次のように各ステップの処理が行なわれる。
【０１３９】
ステップＳ３３では、各照明器具８０に対して累積使用時間の長い順に順位が付けられる。このとき、第４照明器具８０Ｄの累積使用時間と第７照明器具８０Ｇの累積使用時間とが互いに同じ時間のため、これらの照明器具８０には２位の順位が付けられる。また、第５照明器具８０Ｅの累積使用時間と第８照明器具８０Ｈの累積使用時間とが互いに同じ時間のため、これらの照明器具８０には４位の順位が付けられる。また、第６照明器具８０Ｆの累積使用時間と第９照明器具８０Ｉの累積使用時間とが互いに同じ時間のため、これらの照明器具８０には６位の順位が付けられる。
【０１４０】
次のステップＳ３５では、累積使用時間の順位が互いに同じ照明器具８０に対して、消灯優先順位に基づいて異なる順位が付けられる。このため、第１照明器具８０Ａ、第４照明器具８０Ｄ、第７照明器具８０Ｇ、第５照明器具８０Ｅ、第８照明器具８０Ｈ、第６照明器具８０Ｆ、第９照明器具８０Ｉ、第３照明器具８０Ｃ、および第２照明器具８０Ｂの順に１位〜９位までの順位が付けられる。
【０１４１】
次のステップＳ３６では、点灯パターンが図９（ｃ）の短寿命消灯パターンから図９（ｄ）の短寿命消灯パターンに変更される。これにより、累積使用時間が１位〜４位までの照明器具８０、すなわち第１照明器具８０Ａ、第４照明器具８０Ｄ、第７照明器具８０Ｇ、および第５照明器具８０Ｅが消灯状態に変更される。また、累積使用時間が５位〜９位の照明器具８０、すなわち第８照明器具８０Ｈ、第６照明器具８０Ｆ、第９照明器具８０Ｉ、第３照明器具８０Ｃ、および第２照明器具８０Ｂが点灯状態に変更される。
【０１４２】
次のステップＳ３７では、ステップＳ３６で設定した短寿命消灯パターンに対応する個別点灯制御情報ＤＬが各照明器具８０に送信される。このため、点灯パターンが図９（ｃ）の短寿命消灯パターンから図９（ｄ）の短寿命消灯パターンに変更される。そして、点灯パターンの変更後に寿命調整制御が一旦終了する。
【０１４３】
（実施形態の効果）
本実施形態の照明制御システム１によれば、第１実施形態の（２）〜（７）の効果、および以下の（８）の効果が得られる。
【０１４４】
（８）照明制御システム１は、伝送グループＡを構成する各照明器具８０の電灯８６に寿命の順位を付ける。そして、寿命の順位が１位〜４位の照明器具８０すなわち短寿命器具の動作状態を消灯状態に設定し、寿命の順位が５位〜９位の照明器具８０すなわち長寿命器具の動作状態を点灯状態に設定する。
【０１４５】
この構成によれば、短寿命器具としての照明器具８０の電灯８６の寿命と、長寿命器具としての照明器具８０の電灯８６の寿命との差が大きくなることが抑制される。このため、各照明器具８０の使用時間に大きな差が生じることを抑制することができる。
【０１４６】
（第３実施形態）
本実施形態の照明制御システム１は、図１および図２の第１実施形態の照明制御システム１の間引き点灯制御および寿命調整制御に加えて照度保証制御を行なうものとして構成されている。
【０１４７】
なお、本実施形態の照明制御システム１において、上記変更点およびこの変更に関連する構成以外は第１実施形態の照明制御システム１と同様の構成が採用されているため、同実施形態と共通する構成については同一の符号を付してその説明の一部または全部を適宜省略する。
【０１４８】
照明器具８０の処理部８２は、点灯回路部８４の電圧変化に基づいて電灯８６の球切れが生じているか否かを判定する。そして、球切れが生じている旨判定したとき、本照明器具８０を「使用済器具」として設定する。また、電灯８６が球切れした電灯８６から新しい電灯８６に交換されたとき、「使用済器具」の設定を解除する。
【０１４９】
伝送インターフェース４０の処理部４１は、選択中の点灯パターンにおいて点灯状態に設定されている点灯グループに使用済器具が含まれているとき、使用済器具を含まない点灯グループが点灯状態に設定される点灯パターンに変更するための「照度保証制御」を実行する。
【０１５０】
図１０を参照して、照度保証制御の内容について説明する。照度保証制御は、伝送インターフェース４０により所定の制御周期毎に繰り返し行なわれる。すなわち、最後のステップの処理が終了した後、所定の制御周期が経過するまでは照度保証制御の実行が保留され、所定の制御周期が経過したときに再び間引き点灯制御が行なわれる。
【０１５１】
照度保証制御の具体的な手順を以下に示す。
ステップＳ４１では、使用済器具が設定されているか否かを判定する。
ステップＳ４２では、間引き点灯制御が実行されているか否かを判定する。
【０１５２】
ステップＳ４３では、点灯状態に設定される照明グループに使用済器具が含まれているか否かを判定する。
間引き点灯制御が実行されているとき、かつ点灯状態に設定される照明グループに使用済器具が含まれているとき、ステップＳ４４の処理に移行し、使用済器具が含まれていない点灯パターンを選択する。
【０１５３】
具体的には、次のように点灯パターンの選択を行なう。
（Ａ）第２照明グループＧＢが使用済器具を含み、かつ現在の点灯パターンが第１点灯パターンのとき、引き続き第１点灯パターンを選択する。
（Ｂ）第１照明グループＧＡが使用済器具を含み、かつ現在の点灯パターンが第１点灯パターンのとき、点灯パターンを第２点灯パターンに変更する。
（Ｃ）第２照明グループＧＢが使用済器具を含み、かつ現在の点灯パターンが第２点灯パターンのとき、点灯パターンを第１点灯パターンに変更する。
（Ｄ）第１照明グループＧＡが使用済器具を含み、かつ現在の点灯パターンが第２点灯パターンのとき、引き続き第２点灯パターンを選択する。
【０１５４】
図１０および図１１を参照して、寿命調整制御の実行態様の一例について説明する。なお、図１０においては、各照明器具８０をセルとして示している。また、各セル内に記載の数字は、対応する照明器具８０の累積使用時間を示している。また、白抜きのセルは点灯状態の照明器具８０を示している。また、ハッチング入りのセルは消灯状態の照明器具８０を示している。また、「×」は、球切れが発生していることを示している。
【０１５５】
図１１（ａ）は任意の時間においての各照明器具８０の状態を、図１１（ｂ）は図１１（ａ）と同時間において第１照明器具８０Ａに球切れが発生した状態を示している。図１１（ｃ）は図１１（ｂ）と同時間において点灯パターンが変更された状態を示している。
【０１５６】
各照明器具８０が図１１（ａ）に示される状態のとき、すなわち点灯パターンが第１点灯パターンに設定されているとき、図１０の照度保証制御において次のように各ステップの処理が行なわれる。
【０１５７】
各照明器具８０の状態が図１１（ａ）から図１１（ｂ）に移行したとき、ステップＳ４１において、第１照明器具８０Ａにおいて球切れが検出される。
次のステップＳ４２およびステップＳ４３において、間引き点灯制御の実行中である旨および第１照明器具８０Ａが点灯状態に設定されている旨が判定される。そして、ステップＳ４４において、第１照明器具８０Ａが消灯状態に設定される第２点灯パターンが選択される。このため、点灯パターンが図１１（ｂ）の第１点灯パターンから図１１（ｃ）の第２点灯パターンに変更される。そして、点灯パターンの変更後に照度保証制御が一旦終了する。
【０１５８】
（実施形態の効果）
本実施形態の照明制御システム１によれば、第１実施形態の（２）〜（７）の効果、および以下の（９）の効果が得られる。
【０１５９】
（９）照明制御システム１は、第１照明グループＧＡが使用済器具を含み、かつ第２照明グループＧＢが使用済器具を含まないとき、第１照明グループＧＡを消灯するとともに第２照明グループＧＢを点灯する第２点灯パターンに設定する。また、第２照明グループＧＢが使用済器具を含み、かつ第１照明グループＧＡが使用済器具を含まないとき、第２照明グループＧＢを消灯するとともに第１照明グループＧＡを点灯する第１点灯パターンに設定する。この構成によれば、使用済器具を含む照明グループが点灯状態に設定されることに起因して、実際の点灯状態が設定した点灯状態と異なるものになることが抑制される。
【０１６０】
（第４実施形態）
本実施形態の照明制御システム１は、図１および図２の第１実施形態の照明制御システム１の間引き点灯制御および寿命調整制御に加えて報知制御を行なうものとして構成されている。
【０１６１】
なお、本実施形態の照明制御システム１において、上記変更点およびこの変更に関連する構成以外は第１実施形態と同様の構成が採用されているため、同実施形態と共通する構成については同一の符号を付してその説明の一部または全部を適宜省略する。
【０１６２】
報知制御の手順について説明する。
図２の照明器具８０の処理部８２は、電灯８６の累積使用時間が所定の判定時間を超えたか否かを判定する。そして、照明器具８０の累積使用時間が規定の時間よりも短い状態を「通常状態」とし、照明器具８０の寿命が規定の時間よりも長い状態を「末期状態」として、末期状態の照明器具８０の動作状態を通常状態の照明器具８０の動作状態と異なるものに設定する。また、電灯８６が古い電灯８６から新しい電灯８６に交換されたとき、末期状態の設定を解除する。
【０１６３】
すなわち処理部８２は、照明器具８０の寿命が規定の寿命よりも長い状態を「通常状態」とし、照明器具８０の寿命が規定の寿命よりも短い状態を「末期状態」として、末期状態の照明器具８０の動作状態を通常状態の照明器具８０の動作状態と異なるものに設定する。
【０１６４】
伝送インターフェース４０の処理部４１は、末期状態の設定を検出したとき、末期状態の照明器具８０を点滅させる個別点灯制御情報ＤＬを作成し、対応する照明器具８０に送信する。
【０１６５】
（実施形態の効果）
本実施形態の照明制御システム１によれば、第１実施形態の（２）〜（７）の効果、および以下の（１０）の効果が得られる。
【０１６６】
（１０）照明制御システム１は、末期状態の照明器具８０を点滅させる。この構成によれば、ユーザーに対して、点滅している照明器具８０が末期状態にあることを認識させることができる。
【０１６７】
（その他の実施形態）
本発明の実施態様は第１〜第４実施形態に限られるものではなく、例えば以下に示すように変更することもできる。また以下の各変形例は、第１〜第４実施形態についてのみ適用されるものではなく、異なる変形例同士を互いに組み合わせて実施することもできる。
【０１６８】
・第１実施形態（図５）では、ステップＳ２３において、累積使用時間が最も長い照明器具８０が複数あるとき、これらの照明器具８０の全部を最短寿命器具に設定しているが、最短寿命器具の設定条件を以下のように変更することもできる。
【０１６９】
すなわち、累積使用時間が最も長い照明器具８０と累積使用時間が２番目に長い照明器具８０との累積使用時間の差が所定の範囲内のとき、累積使用時間が最も長い照明器具８０および累積使用時間が２番目に長い照明器具８０を最短寿命器具に設定する。
【０１７０】
・第４実施形態（図１）では、報知制御において末期状態の照明器具８０を点滅させているが、末期状態の照明器具８０の照度を通常状態の照明器具８０の照度よりも低下させることもできる。また、この照度を低下させる制御を第１実施形態（図５）の寿命調整制御に加えることもできる。
【０１７１】
・第１〜第４実施形態（図３）では、間引き点灯制御の実行中に寿命調整制御による点灯パターンの変更を実行しているが、間引き点灯制御が行なわれていないときに寿命調整制御を実行することもできる。この場合の寿命調整制御の一例としては、所定時間毎に各照明器具８０の寿命を確認し、確認結果に基づいて設定した最短寿命器具を消灯状態に設定することができる。
【０１７２】
・第１〜第４実施形態（図５）では、寿命調整制御において伝送グループＡにおいて最も寿命が短い電灯８６を備える照明器具を短寿命器具として点灯パターン変更指令を設定しているが、点灯パターン変更指令の設定条件を次のように変更することもできる。
【０１７３】
すなわち、第１照明グループＧＡに含まれる複数の照明器具８０のうちの寿命が最も短いものを「第１短寿命器具」とし、第２照明グループＧＢに含まれる複数の照明器具８０のうちの寿命が最も短いものを「第２短寿命器具」として設定する。そして、第１短寿命器具の寿命が第２短寿命器具の寿命よりも短いとき、第１照明グループＧＡの各照明器具８０を消灯状態に設定し、第２照明グループＧＢの各照明器具８０を点灯状態に設定する。すなわち、点灯パターンとして第２点灯パターンを選択する。また、第２短寿命器具の寿命が第１短寿命器具の寿命よりも短いとき、第２照明グループＧＢの各照明器具８０を消灯状態に設定し、第１照明グループＧＡの各照明器具８０を点灯状態に設定する。すなわち、点灯パターンとして第１点灯パターンを選択する。
【０１７４】
・第１〜第４実施形態（図５）では、照明器具８０同士の累積使用時間の比較に基づいて点灯パターンを選択しているが、同一の伝送グループＡにおいて一の照明器具８０の寿命と他の照明器具８０との寿命との差が大きいことに基づいて、一の照明器具８０を消灯状態に設定することもできる。
【０１７５】
・第１〜第４実施形態（図２）では、間引き点灯制御および寿命点灯制御において、照明器具８０の動作状態を点灯状態または消灯状態に変更しているが、点灯回路部８４の調光率を照明器具８０の動作状態として変更することもできる。
【０１７６】
すなわち、調光率の大きさを照明器具８０の寿命を消耗させる消耗因子とし、調光率の累積印加量の増加度合いを消耗因子の増加度合いとしての消耗速度として、第１照明グループＧＡまたは第２照明グループＧＢに最短寿命器具が含まれるとき、この照明グループの調光率を規定の調光率よりも低い調光率に変更する。すなわち、一方の照明グループに含まれる最短寿命器具の累積印加量の増加度合いを他方の照明グループの照明器具８０の累積印加量の増加度合いよりも小さくする。なお、累積印加量は調光率の大きさおよび印加時間の関数として算出される。
【０１７７】
・第１〜第４実施形態（図２）の寿命調整制御に次の制御を加えることもできる。
寿命が長い照明器具８０においては、調光率を小さくしても同照明器具８０の使用環境において必要な照度を維持することができる。また、調光率を小さくすることにより同照明器具８０の消耗速度が小さくなる。このため、調光率を一定の大きさに設定して照明器具８０を使用する構成と比較して、照明器具８０の寿命が長くなる。また、照明器具８０の照度は同構成よりも小さくなるものの、使用環境において必要な照度が維持されるため、実用上の問題が生じるおそれが小さい。この場合の具体的な制御手順の一例を以下に示す。
【０１７８】
寿命調整制御においては、各照明器具８０の累積点灯時間が判定時間よりも大きいか否かを判定する。そして、累積点灯時間が判定時間よりも小さい照明器具８０については調光率を基準調光率よりも小さくする。また、累積点灯時間が判定時間以上の照明器具８０については調光率を基準調光率よりも大きくする。すなわち、累積点灯時間が判定時間以上の照明器具８０の消耗速度を累積点灯時間が判定時間よりも小さい照明器具８０の消耗速度よりも小さくする。
【０１７９】
・第１〜第４実施形態（図２）の寿命調整制御に次の制御を加えることもできる。
間引き点灯制御の点灯パターンとして、３つ以上の照明器具８０（例えば、図６第１照明器具８０Ａ、第２照明器具８０Ｂ、および第３照明器具８０Ｃ）が一列に配置された照明器具８０の列において、第１照明器具８０Ａが消灯状態に設定され、かつ第２照明器具８０Ｂおよび第３照明器具８０Ｃが点灯状態に設定される点灯パターンを用意する。
【０１８０】
そして、間引き点灯制御においてこの点灯パターンが選択されたとき、第２照明器具８０Ｂの照度を第３照明器具８０Ｃよりも小さくする。すなわち、第１照明器具８０Ａの消耗速度を第２照明器具８０Ｂおよび第３照明器具８０Ｃの消耗速度よりも小さくしたとき、第２照明器具８０Ｂの動作状態を第１照明器具８０Ａの動作状態に応じて変更する。
【０１８１】
この構成によれば、１つの伝送グループＡにおいて隣り合う照明器具８０の照度に大きな差が生じることが抑制される。なお、第１照明器具８０Ａは「照明器具Ａ」に相当し、第２照明器具８０Ｂは「照明器具Ｃ」に相当し、第３照明器具８０Ｃは「照明器具Ｂ」に相当する。
【０１８２】
・第１〜第４実施形態（図２）では、間引き点灯制御および寿命点灯制御において照明器具８０の動作状態を消灯状態または点灯状態に変更しているが、照明器具８０の動作状態としての色温度を変更することもできる。
【０１８３】
・第１〜第４実施形態（図２）では、照明器具８０の電灯８６として蛍光電灯を含めて構成されたものを用いているが、発光ダイオードを含めて構成される電灯８６を用いることもできる。
【０１８４】
・第１〜第４実施形態（図２）では、電灯８６の累積使用時間を照明器具８０の寿命の指標として用いているが、照明器具８０の寿命の指標とするものを次のように変更することもできる。
（Ａ）バラスト８５の累積使用時間を照明器具８０の寿命の指標として用いる。
（Ｂ）器具本体８１の累積使用時間を照明器具８０の寿命の指標として用いる。
（Ｃ）動作状態の切り替え回数を照明器具８０の寿命の指標として用いる。
【０１８５】
なお、動作状態の切り替え回数のカウント方法としては例えば次のものが挙げられる。すなわち、動作状態が点灯状態から消灯状態に切り替えられたとき、および消灯状態から点灯状態に切り替えられたときをそれぞれ１回の切り替えが行なわれた回数としてカウントする。
【０１８６】
・第１〜第４実施形態（図１）では、各照明スイッチ９０から送信される監視情報ＤＭに基づいて、対応する照明器具８０の制御が制御コントローラー６０により個別に行なわれるが、照明器具８０の制御態様を次のように変更することもできる。すなわち、各照明スイッチ９０から送信される監視情報ＤＭに基づいて、対応する照明器具８０の制御を上位コントローラー５０または伝送アダプター７０により個別に行なうこともできる。
【０１８７】
・第１〜第４実施形態（図１）では、制御コントローラー６０と各照明器具８０との間に伝送アダプター７０が設けられているが、伝送アダプター７０を省略することもできる。この場合には、制御コントローラー６０と各照明器具８０とが情報伝達機器を介することなく互いに接続される。
【０１８８】
・第１〜第４実施形態（図１）では、上位コントローラー５０と各伝送アダプター７０との間に制御コントローラー６０が設けられているが、制御コントローラー６０を省略することもできる。この場合には、上位コントローラー５０と各伝送アダプター７０とが情報伝達機器を介することなく互いに接続される。
【０１８９】
・第１〜第４実施形態（図１）では、上位制御システム１０に上位コントローラー５０が設けられているが、上位コントローラー５０を省略することもできる。この場合には、サーバー２０およびマスター３０と制御コントローラー６０とが情報伝達機器を介することなく互いに接続される。
【０１９０】
・第１〜第４実施形態（図１）では、マスター３０およびサーバー２０と各照明器具８０との間に伝送インターフェース４０が設けられているが、伝送インターフェース４０を省略することもできる。この場合、マスター３０およびサーバー２０と各照明器具８０との間では同一の通信方式により通信が行なわれる。また、照明器具８０の個別点灯制御をはじめとする各種制御がマスター３０およびサーバー２０により行なわれる。
【符号の説明】
【０１９１】
１…照明制御システム、８０，８０Ａ〜８０Ｉ…照明器具（照明器具Ａ、照明器具Ｂ）、８６…電灯。
【図１】
2012221627.tif 000003
【図２】
2012221627.tif 000004
【図３】
2012221627.tif 000005
【図４】
2012221627.tif 000006
【図５】
2012221627.tif 000007
【図６】
2012221627.tif 000008
【図７】
2012221627.tif 000009
【図８】
2012221627.tif 000010
【図９】
2012221627.tif 000011
【図１０】
2012221627.tif 000012
【図１１】
2012221627.tif 000013